(57)【要約】【課題】組織を処理するための電気外科用システムを提供する。【解決手段】本発明は、組織を処理するための電気外科用システムであって、電気外科用発電機と、該電気外科用発電機との電気機械的協同に配置されるプリント回路板であって、複数の伝導層を含むプリント回路板と、第１の部分および第２の部分を含む発電機接地であって、該発電機接地の第１の部分は該プリント回路基板の伝導性層に電気機械的に接続され、そして該発電機接地の第２の部分は該プリント回路基板の別の伝導層に電気機械的に接続される発電機接地と、該発電機接地の第１の部分と該発電機接地の第２の部分との間に少なくとも部分的に挿入される部分を含む患者接地とを備える。【選択図】図１
2014168686.tif 000002
【特許請求の範囲】
【請求項１】
本願明細書に記載された発明。
【発明の詳細な説明】
【技術分野】
【０００１】
本開示は、医療設備から患者を電気的に隔離することに関し、そしてより詳細には、電気外科用発電機の接地から患者接地を電気的に隔離することに関する。
【背景技術】
【０００２】
医療手順を受ける患者は、一般に、患者に連結された医療設備の漂遊電気エネルギーから電気的に隔離される。非介入手順（被験体中に挿入される医療用デバイスはない）には、患者の医療用デバイスからの隔離は、患者が触れる可能性がある表面の構築物（例えば、表面コイル、患者ベッドなど）に絶縁材料を取り込むことによって達成される。
【０００３】
介入手順（医療用デバイスが被験体中に挿入される）には、患者隔離の問題はより複雑である。なぜなら、介入デバイスそれら自体が患者と接触するからである。これは、侵襲性デバイスが電気に敏感な組織（例えば、心筋、脳組織など）と接触する場合に特に重要であり得る。治療手順のためのマイクロ波エネルギー送達の性質に起因して、マイクロ波発電機との使用のための絶縁回路の構築のような特別の要求が、患者を隔離する際に存在する。
【０００４】
発電機の接地（すなわち、アース）から患者接地を隔離する問題は、約５００ＭＨｚを超える周波数を有するマイクロ波発電機では複雑である。より低い周波数をもつ発電機では、変圧器が、発電機接地から患者を隔離するために用いられ得る。周波数がより高くなるにつれて、変圧器および非励振素子のコア損失が、しばしば、隔離境界を横切ってエネルギーを移す試みを圧倒する。
【０００５】
発電機の接地から患者接地を隔離する別の方法は、キャパシターの使用をともない得る。しかし、マイクロ波周波数では、これらキャパシターは、反射という形でそれら自身の損失、およびこれらキャパシターの電圧隔離要求に一部起因する寄生損失（ｐａｒａｓｉｔｉｃ  ｌｏｓｓ）を付加する。
【発明の概要】
【発明が解決しようとする課題】
【０００６】
従って、電気外科用発電機の接地から患者接地を隔離する改良されたデバイスおよび方法に対する必要性が存在する。
【課題を解決するための手段】
【０００７】
（要旨）
本開示は、組織を処理するための電気外科用システムに関する。このシステムは、電気外科用発電機、プリント回路板、発電機接地および患者接地を含む。このプリント回路板は、上記電気外科用発電機との機械的協同に配置され、そして複数の伝導性層を含む。上記発電機接地は、第１の部分および第２の部分を含む。この第１の部分は、上記プリント回路板の伝導性層に電気機械的に接続され、そして上記第２の部分は、上記プリント回路板の別の伝導性層に電気機械的に接続される。上記患者接地は、上記発電機接地の第１の部分と上記発電機接地の第２の部分との間に少なくとも部分的に挿入されている部分を含む。
【０００８】
本開示はまた、マイクロ波発電機との使用のためのプリント回路板に関する。このプリント回路板は、第１の伝導性層、第２の伝導性層、第３の伝導性層、第１の誘電層、第２の誘電層および微小細片を含む。上記第１の伝導性層は、発電機接地の第１の部分との電気機械的係合のための形態である。上記第２の伝導性層は、患者接地の部分との電気機械的係合のための形態である。上記第３の伝導性層は、上記発電機接地の第２の部分との電気機械的係合のための形態である。上記第１の誘電層は、上記第１の伝導性層と上記第２の伝導性層との間に少なくとも部分的に挿入される。上記第２の誘電層は、上記第２の伝導性層と上記第３の伝導性層との間に少なくとも部分的に挿入される。上記微小細片は、上記プリント回路板の表面との機械的協同に配置される。
【０００９】
本発明は、さらに以下の手段を提供する。
（項目１）組織を処理するための電気外科用システムであって：
電気外科用発電機；
該電気外科用発電機との電気機械的協同に配置されるプリント回路板であって、複数の伝導層を含むプリント回路板；
第１の部分および第２の部分を含む発電機接地であって、該発電機接地の第１の部分は該プリント回路基板の伝導性層に電気機械的に接続され、そして該発電機接地の第２の部分は該プリント回路基板の別の伝導層に電気機械的に接続される発電機接地；および
該発電機接地の第１の部分と該発電機接地の第２の部分との間に少なくとも部分的に挿入される部分を含む患者接地、を備えるシステム。
（項目２）上記プリント回路板が、上記患者接地を含むプリント回路板の伝導性層と、上記発電機接地の部分を含むプリント回路板の伝導性層との間に少なくとも部分的に挿入される誘電層を含む、項目１に記載の電気外科用システム。
（項目３）上記プリント回路板が、上記発電機接地の第１の部分と上記患者接地との間に挿入された第１の誘電層、および上記発電機接地の第２の部分と該患者接地との間に挿入された第２の誘電層を含む、項目１または２のいずれか１項に記載の電気外科用システム。
（項目４）上記発電機接地が所定の波長を有する周波数を含み、そして上記患者接地が所定の波長を有する周波数を含み、そしてここで、上記プリント回路板の少なくとも２つの隣り合う伝導性層が、該発電機接地および該患者接地のうちの少なくとも１つの１波長の約１／４だけ互いに重複する、項目１〜３のいずれか１項に記載の電気外科用システム。（項目５）上記プリント回路板の少なくとも２つの隣り合う伝導性層が、約４インチ互いに重複する、項目１〜４のいずれか１項に記載の電気外科用システム。
（項目６）上記プリント回路板が、その表面との機械的協同に配置される微小細片を含む、項目１〜５のいずれか１項に記載の電気外科用システム。
（項目７）上記電気外科用発電機が、約５００ＭＨｚより大きい周波数を有するエネルギーを供給するような形態である、項目１〜６のいずれか１項に記載の電気外科用システム。
（項目８）上記患者接地が、マイクロ波切除デバイス、患者パッドおよび電気外科用切除デバイスのうちの少なくとも１つに電気機械的に接続される、項目１〜７のいずれか１項に記載の電気外科用システム。
（項目９）上記プリント回路板が、少なくとも部分的にそれを通って配置される複数のバイアを含む、項目１〜８のいずれか１項に記載の電気外科用システム。
（項目１０）上記複数のバイアの隣り合うバイア間の間隔が、約１５゜未満である、項目９に記載の電気外科用システム。
（項目１１）エネルギーを送達するような形態の能動ラインであって、該能動ラインの少なくとも一部分が、上記プリント回路板との電気機械的協同に配置される、能動ラインを含むマイクロ波切除デバイスをさらに含む、項目１〜１０のいずれか１項に記載の電気外科用システム。
（項目１２）上記能動ラインが、約５０Ωのインピーダンスを有する伝達ラインである、項目１１に記載の電気外科用システム。
（項目１３）上記能動ラインとの機械的協同に配置される第１のキャパシターおよび第２のキャパシターをさらに含み、該第１のキャパシターおよび第２のキャパシターが該能動ラインを隔離するような形態である、項目１１または１２に記載の電気外科用システム。（項目１４）マイクロ波発電機との使用のためのプリント回路板であって：
発電機接地の第１の部分との電気機械的係合のための形態である第１の伝導性層；
患者接地の部分との電気機械的係合のための形態である第２の伝導性層；
該発電機接地の第２の部分との電気機械的係合のための形態である第３の伝導性層；
該第１の伝導性層と該第２の伝導性層との間に少なくとも部分的に挿入された第１の誘電層；
該第２の伝導性層と該第３の伝導性層との間に少なくとも部分的に挿入された第２の誘電層；および
その表面との機械的協同に配置される微小細片、を備える、プリント回路板。
（項目１５）上記発電機接地が所定波長を有する周波数を含み、そして上記患者接地が所定波長を有する周波数を含み、そしてここで、上記プリント回路板の少なくとも２つの隣り合う伝導性層が、該発電機接地および該患者接地のうちの少なくとも１つの１波長の約１／４だけ互いに重複する、項目１４に記載のプリント回路板。
（項目１６）少なくとも部分的にそれを通って配置される複数のバイアをさらに含む、項目１４、１５または１６のいずれか１項に記載のプリント回路板。
（項目１７）上記複数のバイアの隣り合うバイア間の間隔が、約１５゜未満である、項目１６に記載のプリント回路板。
（項目１８）マイクロ波切除デバイスにエネルギーを伝達する形態の能動ラインをさらに含む、項目１４、１５、１６または１７のいずれか１項に記載のプリント回路板。
【００１０】
（摘要）
組織を処理するための電気外科用システムが開示される。このシステムは、電気外科用発電機、プリント回路板、発電機接地および患者接地を含む。このプリント回路板は、上記電気外科用発電機との機械的協同に配置され、そして複数の伝導性層を含む。上記発電機接地は、第１の部分および第２の部分を含む。この第１の部分は、上記プリント回路板の伝導性層に電気機械的に接続され、そして上記第２の部分は、上記プリント回路板の別の伝導性層に電気機械的に接続される。上記患者接地は、上記発電機接地の第１の部分と上記発電機接地の第２の部分との間に少なくとも部分的に挿入されている部分を含む。
【図面の簡単な説明】
【００１１】
本明細書に開示される接地隔離システムの実施形態は、図面を参照して本明細書中に開示される。
【図１】図１は、本開示の実施形態に従う電気外科用システムの概略図である。
【図２】図２は、図１の電気外科用システムとの使用のためのプリント回路板の概略斜視図である。
【図３】図３は、図２のプリント回路板の一部分の断面図である。
【図４】図４は、図２および３のプリント回路板の微小細片ラインの概略図である。
【図５】図５は、図２および３のプリント回路板の電気的構成要素の概略図である。
【発明を実施するための形態】
【００１２】
（実施形態の詳細な説明）
本明細書に開示される電気外科用システムおよびその構成要素の実施形態は、図面を参照して詳細に説明され、図面においては、同様の参照番号は、いくつかの図面の各々で同一または対応する要素を指定する。
【００１３】
本開示に従う、組織を処理するための、例えば、マイクロ波切除システムを含む電気外科用システムは、図面においては、参照番号１００として言及される。最初に図１を参照して、電気外科用システム１００は、それと電気機械的協同に配置されるプリント回路板１２０を有する電気外科用発電機１１０を含む。電気外科用システム１００はまた、外科用器具２００（例えば、マイクロ波切除デバイス）を含み得る。
【００１４】
図２および３を参照して、プリント回路板１２０は複数の層１３０を含む。これらの層１３０は、明瞭さのために拡大された厚みを有して示されている。詳細には、プリント回路板１２０の層１３０は、図示されるように、少なくとも第１の伝導性層１３０ａ、第１の誘電層１３０ｂ、第２の伝導性層１３０ｃ、第２の誘電層１３０ｄ、第３の伝導性層１３０ｅおよび第３の誘電層１３０ｆを含む。特に、図２に示されるように、第１の誘電層１３０ｂは、プリント回路板１２０の第１の伝導性層１３０ａと第２の伝導性層１３０ｃとの間に挿入されて示される。第２の誘電層１３０ｄは、プリント回路板１２０の第２の伝導性層１３０ｃ第３の伝導性層１３０ｅとの間に挿入されて示される。第３の誘電層１３０ｆは、第３の伝導性層１３０ｅに隣接して示される。
【００１５】
電気外科用発電機１１０は、プリント回路板１２０に電気的に接続される発電機接地１４０を含む。発電機接地１４０は、少なくとも第１の部分１４２および第２の部分１４４を含む。発電機接地１４０の第１の部分１４２は、プリント回路板１２０の伝導性層（例えば、第１の伝導性層１３０ａ）に電気機械的に接続され得る。発電機接地１４０の第２の部分１４４は、第１の部分１４２と比較したとき、異なる伝導性層（例えば、第２の伝導性層１３０ｃまたは第３の伝導性層１３０ｅ）に電気機械的に接続され得る。
【００１６】
電気外科用発電機１１０は、伝導性層（例えば、第２の伝導性層１３０ｃ）に電気機械的に接続される患者接地１５０をさらに含む。患者接地１５０は、発電機接地１４０の第１の部分１４２と発電機接地１４０の第２の部分１４４との間に少なくとも部分的に挿入され得る。
【００１７】
認識され得るように、発電機接地１４０および患者接地１５０の両方は、それらを通って電流が流れることを可能にするような形態である。これらの電流は、特定の波長を有する周波数を含む。図３に示されるように、プリント回路板１２０の少なくとも２つの隣り合う伝導層（例えば、第１の伝導層１３０ａおよび第２の伝導性層１３０ｃ）は、互いに、少なくとも、発電機接地１４０および／または患者接地１５０から流れる電流の１波長の約１／４に等しい距離「ｄ１」だけ重複することが想定される。１つの特定の実施形態では、距離「ｄ１」は、約４．０インチ（１０．１６ｃｍ）であり得る。隣り合う伝導性層（例えば、伝導性層１３０ａ、１３０ｃ）のこの重複は、発電機接地１４０および／または患者接地１５０によって、特に約５００ＭＨｚより大きい周波数でのマイクロ波発電機におけるそれらの使用に関して被る種々の損失を最小にすることを支援する。
【００１８】
図２および概略的に図４に示される、本開示の種々の実施形態によれば、プリント回路板１２０は、その表面との機械的協同に配置される微小細片１６０を含み得る。微小細片１６０は、使用者がプリント回路板１２０を調整できるようにし、発電機接地１４０および／または患者接地１５０により被る損失を最適に低減することを支援する。例えば、能動ライン１６６（例えば、マイクロ波切除デバイス２００との電気機械的協同に配置され、そしてマイクロ波切除デバイス２００にエネルギーを伝達するような形態である）および／または微小細片１６０の長さおよび／または幅は、プリント回路板１２０を支援して調整するように変動され得る。微小細片１６０は、約０．０７８７インチ（２．００ｍｍ）と約０．０８２７インチ（２．１０ｍｍ）との間の幅であり、実施形態では、約０．０８０７インチ（２．０５ｍｍ）幅であり得ることが想定される。微小細片１６０が約０．０８０７インチ（２．０５ｍｍ）幅である実施形態では、インピーダンスは約２７．３オームに等しくても良く、そしてその長さは約２．５インチ（６３．５ｍｍ）であり得る。微小細片１６０は、ほぼ、銅の厚み（約７０μｍまたは２．７ミル）＋それに付随する任意の誘電物質の厚み（約０．５ｍｍ〜約１．５ｍｍまたは約２０ミル〜約６０ミル）に等しい厚みを有し得る。微小細片１６０は、例えば、銅、銀、および／または金のような適切な電気的に伝導性の材料から構築され得る。
【００１９】
微小細片１６０は、伝達ラインの特性インピーダンス（Ｉ）が以下の式：
【００２０】
【数１】
2014168686.tif 000003
で表され得るように、少なくとも１つのインダクター１６２および少なくとも１つのキャパシター１６４を含むように、図４に概略的に示され得る。
【００２１】
図４に見られるように、微小細片１６０は、直列に接続される３つのインダクター１６２ａ、１６２ｂ、１６２ｃ、インダクター１６２ａ、１６２ｂ、１６２ｃの間に並列に接続される２つのキャパシター１６４ａ、１６４ｂ、能動ライン１６６および接地ライン１６８を含んで示される。キャパシター１６４ａと１６４ｂとは、距離「ｄ２」だけ分離され、これは、約２．３６２２インチ（６０ｍｍ）であり得ることが想定される。
【００２２】
図５を参照して、接地ライン１６８ａは、発電機接地１４０と患者接地１５０との間のカップリングを表し、ここで、キャパシター１６４ｃは、発電機接地１４０の第１の部分１４２と患者接地１５０との間、および発電機接地１４０の第２の部分１４４と患者接地１５０との間のキャパシタンス（静電容量）カップリングの合計を表す。
【００２３】
図示されるように、プリント回路板１２０は、少なくとも部分的にそれを通って配置される複数のバイア１７０を含み得る（図２および３）。詳細には、図２のプリント回路板１２０は、プリント回路板１２０の周りの種々の位置に、そして所定の配列で配置されるバイア１７０を有して示される。図３は、単一のバイア（ｖｉａ）１７０を通ってとられたプリント回路板１２０の一部分の断面図を示す。バイア１７０は、発電機接地１４０の第１の部分１４２を発電機接地１４０の第２の部分１４４と電気的に接続することが想定される。開示される実施形態では、複数のバイア１７０は、隣り合うバイア１７０から約１５゜より小さい波長の間隔を置かれ；例えば、第１のバイア１７０ａは、隣り合う第２のバイア１７０ｂから約１５゜より小さい波長の間隔を置かれる（図２）。バイアパターン１７０ｃは、バイア１７０が患者接地１５０を少なくとも部分的に取り囲み、従って、発電機接地１４０と患者接地１５０との間のカップリングを支援して増加するような形態である。さらに、患者接地１５０からのバイアパターン１７０ｃの配列は、電気的に分離されて、比較的低い周波数で（例えば、約６０Ｈｚ）、患者接地１５０と発電機接地１４０との間の比較的高い誘電碍子（ｓｔａｎｄｏｆｆ）を確実にする。さらに、バイア１７０の配列は、電気的なボックス中に患者接地と１５０を取り囲むような形態である。すなわち、患者接地１５０の頂部部分および底部部分は、各々、発電機接地１４０の第１の部分１４２および第２の部分１４４に結合され、そうして患者接地１５０の側面部分は、複数のバイア１７０に結合される。
【００２４】
種々の改変が本明細書中に開示される実施形態になされ得ることが理解される。従って、上記の記載は、制限的であると解釈されるべきではなく、種々の実施形態の単なる例示として解釈されるべきである。当業者は、本明細書に添付された請求項の範囲および思想内でその他の改変を想定する。
【符号の説明】
【００２５】
１００  電気外科用システム
１１０  電気外科用発電機
１２０  プリント回路板
１３０ａ、ｃ、ｅ  伝導性層
１３０ｂ、ｄ、ｆ  誘電層
１４０  発電機設置
１５０  患者接地
１６０  微小細片
１６６  能動ライン
１７０  バイア
２００  外科用器具
【図１】
2014168686.tif 000004
【図２】
2014168686.tif 000005
【図３】
2014168686.tif 000006
【図４】
2014168686.tif 000007
【図５】
2014168686.tif 000008